(57)【要約】【課題】出版物、例えばファッション雑誌には一足早い季節のコーディネートが掲載され、消費者側では商品出荷情報をメーカーに問い合わせなくてはいけないという煩わしさや、希望商品が手に入らない場合があるという問題が生じていた。また、メーカー側では個々の問い合わせに対してその都度答えていかなければならないという手間や、予定していた販売数量と実際の販売数量とに差が生じてしまうという問題が生じていた。【解決手段】本発明は、メーカー側に販売数量の予測を立てる上で必要となる消費者情報を提供するとともに、消費者側に商品購入にあたって必要となるメーカー情報を提供するサーバーを提供する。また、どの地域に住む消費者にも希望商品を購入する手段を与えるサーバーを提供する。【選択図】    図１
2005089872.tif 000002
【特許請求の範囲】
【請求項１】
出版物掲載のファッションコーディネート情報を持つサイトを運用するサーバーであり、ネットワークを介しメーカー端末から商品出荷情報を受信する機能と消費者端末へ前記メーカー端末から受信した商品出荷情報を送信する機能とを有するサーバー。
【請求項２】
消費者端末から送られてくる、出版物掲載のファッションコーディネート情報の中から消費者が購入意欲を持った商品情報を、消費者端末情報と共に記憶する機能と、この消費者端末から送られてくる商品情報を商品毎、地域毎に集計する機能と、集計の結果得られた商品毎の集計データ、または地域毎の集計データ、または前記商品毎のデータと前記地域毎のデータとを合わせて得られた集計データのうち、全てもしくは各メーカーが必要とする一種類または二種類の集計データをメーカー端末に送る機能とを有する請求項１に記載のサーバー。
【請求項３】
メーカー端末から送られてきた商品出荷情報を記憶する機能と、出版物掲載のファッションコーディネート情報の中から消費者が購入意欲を持った商品についての商品出荷情報をこのメーカー端末から送られてきた商品出荷情報の中から選択し消費者端末に送る機能とを有する請求項１、２に記載のサーバー。
【請求項４】
出版物掲載のファッションコーディネート情報の中から消費者が購入意欲を持った商品を、ネットワーク上で購入することを可能とする機能を有する請求項１から３に記載のサーバー。
【発明の詳細な説明】
【技術分野】
【０００１】
本発明は、出版物記載のファッションコーディネートの商品紹介をネットワーク上で行うためのサーバーを提供する。
【背景技術】
【０００２】
従来、出版物、例えばファッション雑誌には一足早い季節のコーディネートが掲載され、その取り扱い商品の連絡先も付記されている。この雑誌掲載の方が商品販売時期よりも早いため、付記されている連絡先に、消費者が実際の商品入荷時期をメーカーに問い合わせしなければいけないという事態が生じている。また、店舗によって入荷する商品が異なるため、消費者は商品入荷店舗も問い合わせる必要があった。その結果、商品入荷店舗が近くにない場合は、商品購入を諦めざるを得ない場合もあった。
【０００３】
一方、メーカー側では、個々の問い合わせに対し、出荷時期や出荷店舗をその都度答える必要があった。また、同じ商品であっても、売り切れてしまったり売れ残ってしまう店舗が出るなど、販売数量の予測が立て難いということがあった。
【発明の開示】
【発明が解決しようとする課題】
【０００４】
上記のように、消費者側ではメーカーに問い合わせなくてはいけないという煩わしさや、希望商品が手に入らない場合があるという問題が生じていた。また、メーカー側では個々の問い合わせに対してその都度答えていかなければならないという手間や、予定していた販売数量と実際の販売数量とに差が生じてしまうという問題が生じていた。
【０００５】
そこで本発明は、メーカー側に販売数量の予測を立てる上で必要となる消費者情報を提供するとともに、消費者側に商品購入にあたって必要となるメーカー情報を提供することを目的とする。また、どの地域に住む消費者にも希望商品を購入する手段を与えることを目的とする。
【課題を解決するための手段】
【０００６】
請求項１に掛かる本願発明の課題解決手段は、出版物掲載のファッションコーディネート情報を持つサイトを運用するサーバーであり、ネットワークを介しメーカー端末から商品出荷情報を受信する機能と消費者端末へ前記メーカー端末から受信した商品出荷情報を送信する機能とを有するサーバーである。
【０００７】
請求項２に掛かる本願発明の課題解決手段は、消費者端末から送られてくる、出版物掲載のファッションコーディネート情報の中から消費者が購入意欲を持った商品情報を、消費者端末情報と共に記憶する機能と、この消費者端末から送られてくる商品情報を商品毎、地域毎に集計する機能と、集計の結果得られた商品毎の集計データ、または地域毎の集計データ、または前記商品毎のデータと前記地域毎のデータとを合わせて得られた集計データのうち、全てもしくは各メーカーが必要とする一種類または二種類の集計データをメーカー端末に送る機能とを有する請求項１に記載のサーバーである。
【０００８】
請求項３に掛かる本願発明の課題解決手段は、メーカー端末から送られてきた商品出荷情報を記憶する機能と、出版物掲載のファッションコーディネート情報の中から消費者が購入意欲を持った商品についての商品出荷情報をこのメーカー端末から送られてきた商品出荷情報の中から選択し消費者端末に送る機能とを有する請求項１、２に記載のサーバーである。
【０００９】
請求項４に掛かる本願発明の課題解決手段は、出版物掲載のファッションコーディネート情報の中から消費者が購入意欲を持った商品を、ネットワーク上で購入することを可能とする機能を有する請求項１から３に記載のサーバーである。
【発明の効果】
【００１０】
本願発明により、メーカー側は各商品ごとにその商品購入に意欲のある消費者のおおよその人数が把握できるとともに、その消費者の居住地域情報より、各店舗の販売数量の予測が立て易くなる。その結果、どの店舗においても出荷数量と実際の販売数量との差が小さくなるという、精度の非常に高い販売数量の予測が可能となる。
【００１１】
また消費者側では、自分が購入意欲を持った商品について、出荷時期や出荷店舗情報を得ることができる。その結果、効率良く欲しい商品を購入することが可能となる。
【００１２】
また、購入意欲を持った商品を販売する店舗が、居住地域近郊にないことが分かった場合にはネットワーク上で購入することが可能となり、どの地域に住む消費者も希望商品を購入する手段を得ることができる。
【発明を実施するための最良の形態】
【００１３】
図面を参照しながらこの発明の実施形態をさらに詳しく説明する。図１はシステム構成図であり、出版物掲載のファッションコーディネート情報を持つサイトを運用するサーバー１がネットワークを介して消費者端末２とメーカー端末３に接続している。本発明においてネットワークとは、有線、無線、構内ＬＡＮ、衛星回線、インターネット、電話回線等のネットワーク全てを対象とする。
【００１４】
図２に従い、本発明の実施形態の処理ステップを説明する。サーバーは出版物掲載のファッションコーディネート情報を持つサイトを運用する。ここで出版物とは、雑誌、カタログ、書籍をいう。また、ファッションコーディネート情報とは、衣類、靴、帽子、眼鏡、アクセサリーや時計等の装飾品など身に付けるもの全てのことを指すとともに、それらの組み合わせによりなるものも指す。サーバーは、出版物それぞれについて、ファッションコーディネート情報を持つサイトを運用する。図３に出版物掲載のファッションコーディネート情報を持つサイトの例を示す。各々の出版物のサイトは、その出版物の掲載ページや特集記事に対応する形で構成されており、例えば、あるファッションコーディネートについて、どの出版物の何ページに掲載されているのか、またはどの特集記事で紹介されているのかが分かれば（４）、簡単にその商品についての情報５を見ることができる。また、このサイト上のコーディネート情報にはチェック欄６が設けてあり、消費者は購入意欲を持った商品に対してここにチェックを入れる仕組みになっている。
【００１５】
消費者は出版物からファッションコーディネート情報を入手し、その中で購買意欲を持った商品があった場合には、上記のサーバーにアクセスし、その出版物のサイトに入り、その商品が紹介されているページや特集記事を参考にし、出版物のサイトの中で購入意欲を持った商品を探す。サイトの中で購入意欲を持った商品を見つけることができたならば、予め設けられている商品ごとのチェック欄にチェックを入れ、合わせて消費者端末情報を入力する。ここで消費者端末情報とは、消費者の住んでいる地域（住所、または都道府県のみ、または都道府県と区・市町村の両方、または郵便番号のうちいずれか一つを指す）、メールアドレス、電話番号、名前、生年月日、性別、職業である。消費者は、これら消費者端末情報の全てを入力する必要は必ずしもなく、各出版物のサイトが前記の消費者端末情報の中から指定する項目について入力すればよい。また、全ての出版物のサイトは、前記消費者端末情報のうち消費者の住んでいる地域およびメールアドレスの両方を必ず指定項目にしなければならない。
【００１６】
サーバーは前記で消費者が入力した情報を記憶し、種々の商品それぞれについて購入意欲を持った人の数およびその人の住んでいる地域を集計する。集計の結果得られた、商品毎の購入意欲を持った人の数の集計データ、または地域毎の購入意欲を持った人の数の集計データ、または前記商品毎のデータと前記地域毎のデータとを合わせて得られた集計データのうち、全てもしくは各メーカーが必要とする一種類または二種類の集計データを各メーカー端末へ送信する。この集計データは、各メーカーがどの商品をどの地域でどれだけ出荷すればよいのかを考える際に非常に参考になるものである。
【００１７】
各メーカーは、サーバーから送信されてきた集計データを参考にして、それぞれの商品について、販売数量の予測を立て、出荷店舗や出荷数量を決定する。そして、決定した商品毎の商品出荷情報をサーバーに入力する。ここで商品出荷情報とは、上記の出荷店舗、出荷数量の他に出荷時期がある。
【００１８】
サーバーは、各メーカーから入力された商品毎の商品出荷情報を記憶する。そして、消費者から入力されたメールアドレスに、その消費者が前記サイトにてチェックを入れた商品についての商品出荷情報をメールにて送信する。
【００１９】
このようにして、消費者は出版物の中で見つけて購入意欲を持った商品についての、商品出荷情報を得ることができる。
【００２０】
消費者が得た商品出荷情報から、自分の居住地域近郊ではその商品を販売する店舗がないことが分かった場合には、ネットワーク上で購入可能である。一方、自分の居住地域近郊にその商品を販売する店舗があることが分かった場合には、実際に店舗に足を運ぶことで、購入前に実際に商品を手にとって見ることができ、またその場で試着することも可能である。
【００２１】
以上のように、どの地域に住む消費者も希望商品を購入する手段を得ることができる。
【産業上の利用可能性】
【００２２】
本発明は、メーカー側に販売数量の予測を立てる上で必要となる消費者情報を提供するとともに、消費者側に商品購入にあたって必要となるメーカー情報を提供するサーバーである。また、どの地域に住む消費者にも希望商品を購入する手段を与えるサーバーである。
【図面の簡単な説明】
【００２３】
【図１】本発明のシステム構成図である。
【図２】本発明の実施形態の処理ステップである。
【図３】本発明の出版物掲載のファッションコーディネート情報を持つサイトの例である。
【符号の説明】
【００２４】
１  ・・・  サーバー
２  ・・・  消費者端末
３  ・・・  メーカー端末
４  ・・・  出版物の名称、特集の名称、出版物掲載ページ
５  ・・・  ファッションコーディネート情報
６  ・・・  チェック欄
【図１】
2005089872.tif 000003
【図２】
2005089872.tif 000004
【図３】
2005089872.tif 000005